【手続補正書】
【提出日】平成23年3月4日(2011.3.4)
【手続補正１】
【補正対象書類名】明細書
【補正対象項目名】００１７
【補正方法】変更
【補正の内容】
【００１７】
直流電流を交流電流に変換する複数のパワー半導体素子を有する半導体モジュールと、前記半導体モジュールを冷却するための冷媒を流す流路を形成する流路形成体と、を備え、
前記半導体モジュールは、前記冷却冷媒と熱的に接触するとともに、前記複数のパワー半導体素子を挟んで互いに対向して配置された金属製の第１放熱部材及び第２放熱部材と、前記直流電流を伝達する正極端子及び負極端子と、を有し、
前記複数のパワー半導体素子は、インバータ回路の上アーム回路を構成する上アーム側ＩＧＢＴと、当該上アーム側ＩＧＢＴと電気的に並列に接続された上アーム側ダイオードと、前記インバータ回路の下アーム回路を構成する下アーム側ＩＧＢＴと、当該下アーム側ＩＧＢＴと電気的に並列に接続された下アーム側ダイオードと、を含んで構成され、
前記上アーム側ＩＧＢＴ及び前記上アーム側ダイオードは、２枚の導体板によって挟まれるとともに当該２枚の導体板と電気的に接続され、
前記下アーム側ＩＧＢＴ及び前記下アーム側ダイオードは、２枚の導体板によって挟まれるとともに当該２枚の導体板と電気的に接続され、
前記第１放熱部材は、当該第１放熱部材の放熱面と垂直方向に投影した場合における投影部は四角形状を為しており、
前記上アーム側ＩＧＢＴと前記上アーム側ダイオードは、前記投影部の第１辺に沿って並べて配置され、
前記下アーム側ＩＧＢＴと前記下アーム側ダイオードは、前記投影部の前記第１辺と向き合う第２辺に沿って並べて配置され、
前記正極端子及び前記負極端子は、前記投影部の前記第１辺と前記第２辺を繋ぐ第３辺側から突出し、
前記電気的な接続と前記配置により、ループ形状経路のリカバリ電流を生じさせる電力変換装置である。
【手続補正２】
【補正対象書類名】明細書
【補正対象項目名】００１８
【補正方法】変更
【補正の内容】
【００１８】
また、上述した電力変換装置において、前記上アーム側ダイオードと前記下アーム側ダイオードは、前記投影部の前記第３辺と向き合う第４辺に沿って並べて配置され、前記上アーム回路と前記下アーム回路の電気的な接続部は、前記上アーム側ＩＧＢＴと前記下アーム側ＩＧＢＴが並べられた列よりも前記上アーム側ダイオードと前記下アーム側ダイオード並べられた列に近い位置に配置される構成である。さらに、前記正極端子と前記負極端子は、前記第１放熱部材の放熱面と垂直方向に投影した場合に互いに重なっている構成である。さらに、前記直流電流を平滑化するためのコンデンサ素子を有するコンデンサモジュールを備え、前記流路形成体は、前記冷媒を流す為の第１流路及び第２流路を形成し、前記第１流路は、前記コンデンサモジュールの側部に配置され、前記第２流路は、前記コンデンサモジュールを挟んで前記第１流路とは反対側に配置され、前記半導体モジュールは複数設けられるとともに前記第１流路側と前記第２流路側に分けて配置されるとともに、それぞれの前記半導体モジュールは前記第１流路または前記第２流路に固定される構成である。
【手続補正３】
【補正対象書類名】明細書
【補正対象項目名】００１９
【補正方法】変更
【補正の内容】
【００１９】
また、前記電力変換装置において、前記パワー半導体素子を駆動するドライバ回路を有するドライバ基板を備え、前記ドライバ基板は、前記第１流路側の半導体モジュールの対向領域から前記コンデンサモジュールの上方を通って前記２流路側の半導体モジュールの対向領域まで形成されるとともに、前記ドライバ回路は、前記コンデンサモジュールと対向する領域に配置される構成である。さらに、前記交流電流を伝達するための交流バスバーを備え、前記交流バスバーは、前記コンデンサモジュールと前記ドライバ基板との間の空間に配置される構成である。さらに、前記流路形成体は、前記第１流路と前記第２流路と繋ぐ第３流路を形成し、前記コンデンサモジュールは、矩形状を為し、かつ前記前記第１流路と前記第２流路と前記第３流路によって３面が囲まれる構成である。さらに、前記複数の半導体モジュールは、３つ以上設けられかつ前記第１流路側と前記第２流路側と前記第３流路に分けて配置され、さらにそれぞれの前記半導体モジュールは前記第１流路または前記第２流路または前記第３流路に固定される構成である。
【手続補正４】
【補正対象書類名】特許請求の範囲
【補正対象項目名】全文
【補正方法】変更
【補正の内容】
【特許請求の範囲】
【請求項１】
直流電流を交流電流に変換する複数のパワー半導体素子を有する半導体モジュールと、
前記半導体モジュールを冷却するための冷媒を流す流路を形成する流路形成体と、を備え、
前記半導体モジュールは、前記冷却冷媒と熱的に接触するとともに、前記複数のパワー半導体素子を挟んで互いに対向して配置された金属製の第１放熱部材及び第２放熱部材と、前記直流電流を伝達する正極端子及び負極端子と、を有し、
前記複数のパワー半導体素子は、インバータ回路の上アーム回路を構成する上アーム側ＩＧＢＴと、当該上アーム側ＩＧＢＴと電気的に並列に接続された上アーム側ダイオードと、前記インバータ回路の下アーム回路を構成する下アーム側ＩＧＢＴと、当該下アーム側ＩＧＢＴと電気的に並列に接続された下アーム側ダイオードと、を含んで構成され、
前記上アーム側ＩＧＢＴ及び前記上アーム側ダイオードは、２枚の導体板によって挟まれるとともに当該２枚の導体板と電気的に接続され、
前記下アーム側ＩＧＢＴ及び前記下アーム側ダイオードは、２枚の導体板によって挟まれるとともに当該２枚の導体板と電気的に接続され、
前記第１放熱部材は、当該第１放熱部材の放熱面と垂直方向に投影した場合における投影部は四角形状を為しており、
前記上アーム側ＩＧＢＴと前記上アーム側ダイオードは、前記投影部の第１辺に沿って並べて配置され、
前記下アーム側ＩＧＢＴと前記下アーム側ダイオードは、前記投影部の前記第１辺と向き合う第２辺に沿って並べて配置され、
前記正極端子及び前記負極端子は、前記投影部の前記第１辺と前記第２辺を繋ぐ第３辺側から突出し、
前記電気的な接続と前記配置により、ループ形状経路のリカバリ電流を生じさせる電力変換装置。
【請求項２】
請求項１に記載された電力変換装置であって、
前記上アーム側ダイオードと前記下アーム側ダイオードは、前記投影部の前記第３辺と向き合う第４辺に沿って並べて配置され、
前記上アーム回路と前記下アーム回路の電気的な接続部は、前記上アーム側ＩＧＢＴと前記下アーム側ＩＧＢＴが並べられた列よりも前記上アーム側ダイオードと前記下アーム側ダイオード並べられた列に近い位置に配置される電力変換装置。
【請求項３】
請求項１又は２に記載されたいずれかの電力変換装置であって、
前記正極端子と前記負極端子は、前記第１放熱部材の放熱面と垂直方向に投影した場合に互いに重なっている電力変換装置。
【請求項４】
請求項１ないし３に記載されたいずれかの電力変換装置であって、
前記直流電流を平滑化するためのコンデンサ素子を有するコンデンサモジュールを備え、
前記流路形成体は、前記冷媒を流す為の第１流路及び第２流路を形成し、
前記第１流路は、前記コンデンサモジュールの側部に配置され、
前記第２流路は、前記コンデンサモジュールを挟んで前記第１流路とは反対側に配置され、
前記半導体モジュールは複数設けられるとともに前記第１流路側と前記第２流路側に分けて配置されるとともに、それぞれの前記半導体モジュールは前記第１流路または前記第２流路に固定される電力変換装置。
【請求項５】
請求項４に記載された電力変換装置であって、
前記パワー半導体素子を駆動するドライバ回路を有するドライバ基板を備え、
前記ドライバ基板は、前記第１流路側の半導体モジュールの対向領域から前記コンデンサモジュールの上方を通って前記２流路側の半導体モジュールの対向領域まで形成されるとともに、
前記ドライバ回路は、前記コンデンサモジュールと対向する領域に配置される電力変換装置。
【請求項６】
請求項５に記載された電力変換装置であって、
前記交流電流を伝達するための交流バスバーを備え、
前記交流バスバーは、前記コンデンサモジュールと前記ドライバ基板との間の空間に配置される電力変換装置。
【請求項７】
請求項５または６に記載されたいずれかの電力変換装置であって、
前記ドライバ基板に制御信号を出力する制御基板を備え、
前記制御基板は、前記ドライバ基板を挟んで前記コンデンサモジュールと対向する位置に配置される電力変換装置。
【請求項８】
請求項４ないし７に記載されたいずれかの電力変換装置であって、
前記流路形成体は、前記第１流路と前記第２流路と繋ぐ第３流路を形成し、
前記コンデンサモジュールは、矩形状を為し、かつ前記前記第１流路と前記第２流路と前記第３流路によって３面が囲まれる電力変換装置。
【請求項９】
請求項４に記載された電力変換装置であって、
前記複数の半導体モジュールは、３つ以上設けられかつ前記第１流路側と前記第２流路側と前記第３流路に分けて配置され、さらにそれぞれの前記半導体モジュールは前記第１流路または前記第２流路または前記第３流路に固定される電力変換装置。
【請求項１０】
請求項４ないし９に記載されたいずれかの電力変換装置であって、
前記コンデンサモジュールの挿入部を有するとともに前記流路形成体と一体に形成されるケースを備える電力変換装置。
【請求項１１】
請求項７に記載された電力変換装置であって、
前記半導体モジュールは、前記ドライバ基板からの駆動信号を伝達する制御端子と、を有し、
前記制御端子は、前記ドライバ基板まで延ばされかつ当該ドライバ基板と接続され、
前記正極端子及び負極端子は、前記コンデンサモジュールに対して前記ドライバ基板が配置された側において、当該コンデンサモジュールの端子と溶接により接続される電力変換装置。